(57)【要約】【課題】留守番電話応答時に予め保存してある画像を表示し、通信相手のテレビ電話端末に送信する際、データ量削減を可能とするテレビ電話端末および画像生成方法を提供する。【解決手段】留守番電話機能とテレビ電話機能とを有するテレビ電話端末であって、各手段を制御する制御手段と、通信を行う無線手段と、テレビ電話機能作動時に撮影する撮影手段と、撮影したユーザ自身の映像および代替画像を表示する表示手段と、代替画像に表情や動作を加えるためのアクションコマンドを入力する操作手段と、代替画像およびアクションコマンドを記憶する記憶手段と、記憶されたアクションコマンドを解析するデータ解析手段と、代替画像にアクションコマンドを反映した画像を生成する画像生成手段とを有し、生成した画像を通信相手のテレビ電話端末に送信する。【選択図】        図１
2004328069.tif 000002
【特許請求の範囲】
【請求項１】
留守番電話機能と、通信相手と画像の送受信を行うテレビ電話機能を有するテレビ電話端末であって、
ＣＰＵとＲＯＭとを内蔵し、各手段を制御する制御手段と、
外部との通信を行う無線手段と、
前記テレビ電話機能作動時にユーザ自身を撮影する撮影手段と、
前記撮影手段で撮影した前記ユーザ自身の映像および代替画像のうち少なくとも１つを表示する表示手段と、
前記代替画像に表情や動作を加えるためのアクションコマンドを入力する操作手段と、
前記代替画像および前記操作手段で入力された前記アクションコマンドを記憶する記憶手段と、
前記記憶手段に記憶された前記アクションコマンドを解析するデータ解析手段と、
前記記憶手段に記憶された前記代替画像に前記データ解析手段で解析した前記アクションコマンドを反映した画像を生成する画像生成手段とを有し、
生成した前記画像を前記通信相手のテレビ電話端末に送信することを特徴とするテレビ電話端末。
【請求項２】
前記代替画像は、前記テレビ電話機能時に前記撮影手段で撮影した前記ユーザ自身の映像の代わりに前記着信相手のテレビ電話端末に送信される画像であることを特徴とする請求項１記載のテレビ電話端末。
【請求項３】
前記データ解析手段は、前記留守番電話機能時の留守応答時に、前記記憶手段に記憶した前記アクションコマンドを解析することを特徴とする請求項１記載のテレビ電話端末。
【請求項４】
前記画像生成手段は、前記データ解析手段で解析した前記アクションコマンドを前記代替画像に反映して、３Ｄや２Ｄなどの画像を生成することを特徴とする請求項１記載のテレビ電話端末。
【請求項５】
前記代替画像は、アバタであることを特徴とする請求項１から４のいずれか１項に記載のテレビ電話端末。
【請求項６】
前記留守番電話機能において、留守応答メッセージをテキストデータで保存し、留守応答時に音声メッセージに変換する変換手段をさらに有することを特徴とする請求項１記載のテレビ電話端末。
【請求項７】
前記代替画像は、前記テレビ電話端末に初期設定として保持されているデータであることを特徴とする請求項１から５のいずれか１項に記載のテレビ電話端末。
【請求項８】
前記代替画像は、インターネットからダウンロードしたデータであることを特徴とする請求項１から５のいずれか１項に記載のテレビ電話端末。
【請求項９】
前記アクションコマンドは、前記ユーザによって入力された順番通りに前記記憶手段に記憶されることを特徴とする請求項１に記載のテレビ電話端末。
【請求項１０】
前記アクションコマンドは、前記テレビ電話端末内に初期設定として保持されていることを特徴とする請求項１から９のいずれか１項に記載のテレビ電話端末。
【請求項１１】
前記操作手段の各キーに予め固有の動作であるアクションが割り当てられていることを特徴とする請求項１記載のテレビ電話端末。
【請求項１２】
前記アクションの内容は、前記表示手段にガイダンスとして表示されることを特徴とする請求項１１記載のテレビ電話端末。
【請求項１３】
請求項１から１２のいずれか１項に記載のテレビ電話端末で使用される画像生成方法であって、
通信相手のテレビ電話端末に送信するための代替画像に表情および動作を加えるためのアクションコマンドをユーザによって入力され、
入力された前記アクションコマンドを入力された順番に従って解析し、
前記解析結果を前記代替画像に反映してアニメーション表示をすることを特徴とする画像生成方法。
【発明の詳細な説明】
【０００１】
【発明の属する技術分野】
本発明は、留守番電話機能およびテレビ電話機能を有するテレビ電話端末および画像生成方法に関する。
【０００２】
【従来の技術】
従来、電話（固定回線電話、携帯電話、ＰＨＳなど）は、ユーザが不在や多忙のため電話に出られないケースにそなえて、自動応答機能や相手のメッセージ録音機能などの留守番電話機能を持っている。最近では、電話にカメラとモニタが設置されたＴＶ電話も普及してきている。
【０００３】
従来の技術例として、予め装置内に蓄積している蓄積人物画像を用いる際、装置利用者の動作、表情、姿勢、音声に対応した蓄積人物映像を対話相手に送信することによって、動作、表情、姿勢などを通信相手に伝達する「テレビ電話用蓄積人物映像表示装置」がある（例えば、特許文献１参照）。また、通信相手に送信する画像データを自動または手動で選択操作し、送信することができる「ＴＶ電話画像表示装置」がある（例えば、特許文献２参照）。また、予め蓄積された人物画像の送信に際し、動作・姿勢・表情の変化を任意に組み合わせて出力する「携帯テレビ電話端末」がある（例えば、特許文献３参照）。
【０００４】
【特許文献１】
特開平９−３３１５０９号公報
【特許文献２】
特開平１１−２３４６４１号公報
【特許文献３】
特開２０００−３３２９１６号公報
【０００５】
【発明が解決しようとする課題】
しかしながら、従来のＴＶ電話の留守番電話機能は、音声による自動応答となり、テレビ電話として発信してきた相手のモニタには映像がない状態になってしまう問題があった。また、予め録画しておいた映像データ（動画）を留守番電話機能の応答メッセージとして使用するには、データ量が多くなるという問題があった。
【０００６】
また、上記特許文献１記載の発明は、出力する代替画像の表情や動作を指定する入力操作を記憶しておき、記憶した連続動作を代替画像に反映させて生成することはできない。また、特許文献２および３記載の発明は、留守応答時にアニメーションを使用した代替画像を生成し、それを相手機器へ送信することはできない。
【０００７】
本発明は、上記事情に鑑みてなされたものであり、テレビ電話機能を搭載した固定電話、携帯電話、ＰＨＳなどのテレビ電話端末において、留守番電話機能による自動応答が発生したときに、予め保存しておいた表情や動作のアクションコマンドと、それを解析する処理と、解析結果を代替画像に反映して３Ｄなどで表示し、その画像を着信相手のテレビ電話端末に送信するテレビ電話端末および画像生成方法を提供することを目的とする。
【０００８】
【課題を解決するための手段】
かかる目的を達成するために、請求項１記載のテレビ電話端末は、留守番電話機能と、通信相手と画像の送受信を行うテレビ電話機能を有するテレビ電話端末であって、ＣＰＵとＲＯＭとを内蔵し、各手段を制御する制御手段と、外部との通信を行う無線手段と、テレビ電話機能作動時にユーザ自身を撮影する撮影手段と、撮影手段で撮影したユーザ自身の映像および代替画像のうち少なくとも１つを表示する表示手段と、代替画像に表情や動作を加えるためのアクションコマンドを入力する操作手段と、代替画像および操作手段で入力されたアクションコマンドを記憶する記憶手段と、記憶手段に記憶されたアクションコマンドを解析するデータ解析手段と、記憶手段に記憶された代替画像にデータ解析手段で解析したアクションコマンドを反映した画像を生成する画像生成手段とを有し、生成した画像を通信相手のテレビ電話端末に送信することを特徴とする。
【０００９】
請求項２記載のテレビ電話端末は、請求項１記載のテレビ電話端末において、代替画像はテレビ電話機能時に撮影手段で撮影したユーザ自身の映像の代わりに着信相手のテレビ電話端末に送信される画像であることを特徴とする。
【００１０】
請求項３記載のテレビ電話端末は、請求項１記載のテレビ電話端末において、データ解析手段は、留守番電話機能時の留守応答時に、記憶手段に記憶したアクションコマンドを解析することを特徴とする。
【００１１】
請求項４記載のテレビ電話端末は、請求項１記載のテレビ電話端末において、画像生成手段は、データ解析手段で解析したアクションコマンドを代替画像に反映して、３Ｄや２Ｄなどの画像を生成することを特徴とする。
【００１２】
請求項５記載のテレビ電話端末は、請求項１から４のいずれか１項に記載のテレビ電話端末において、代替画像はアバタであることを特徴とする。
【００１３】
請求項６記載のテレビ電話端末は、請求項１記載のテレビ電話端末において、留守番電話機能において、留守応答メッセージをテキストデータで保存し、留守応答時に音声メッセージに変換する変換手段をさらに有することを特徴とする。
【００１４】
請求項７記載のテレビ電話端末は、請求項１から５のいずれか１項に記載のテレビ電話端末において、代替画像はテレビ電話端末に初期設定として保持されているデータであることを特徴とする。
【００１５】
請求項８記載のテレビ電話端末は、請求項１から５のいずれか１項に記載のテレビ電話端末において、代替画像はインターネットからダウンロードしたデータであることを特徴とする。
【００１６】
請求項９記載のテレビ電話端末は、請求項１記載のテレビ電話端末において、アクションコマンドは、ユーザによって入力された順番通りに記憶手段に記憶されることを特徴とする。
【００１７】
請求項１０記載のテレビ電話端末は、請求項１から９のいずれか１項に記載のテレビ電話端末において、アクションコマンドは、テレビ電話端末内に初期設定として保持されていることを特徴とする。
【００１８】
請求項１１記載のテレビ電話端末は、請求項１記載のテレビ電話端末において、操作手段の各キーに予め固有の動作であるアクションが割り当てられていることを特徴とする。
【００１９】
請求項１２記載のテレビ電話端末は、請求項１１記載のテレビ電話端末において、アクションの内容は、表示手段にガイダンスとして表示されることを特徴とする。
【００２０】
請求項１３記載の画像生成方法は、請求項１から１２のいずれか１項に記載のテレビ電話端末で使用される画像生成方法であって、通信相手のテレビ電話端末に送信するための代替画像に表情および動作を加えるためのアクションコマンドをユーザによって入力され、入力されたアクションコマンドを入力された順番に従って解析し、解析結果を代替画像に反映してアニメーション表示をすることを特徴とする。
【００２１】
【発明の実施の形態】
以下、本発明の実施形態であるについて、添付図面を参照しながら詳細に説明する。図１は本発明で使用する移動機の形態を示すブロック図である。移動機１０１は、ＣＰＵ１０３やＲＯＭ１０４を内蔵した制御部１０２によって各部を制御する。無線部１０５は、外部との通信を行う。カメラ１０６は、テレビ電話機能時に、自分自身を撮影する。表示部１０７は、ユーザインタフェースを提供する。また、表示部１０７は、カメラ１０６で撮影した映像や代替画像、及び無線部１０５を介して、着信相手の移動機から受信した映像などを表示する。操作部１０８は、自分自身の代替画像（以下、代替画像という）に、「笑う」、「泣く」などの表情や「口を開ける」、「目を閉じる」などの動作のアクションコマンドを入力する。メモリ１０９は、代替画像や、操作部１０８で入力されたアクションコマンドを記憶する。データ解析部１１０は、メモリ１０９に記憶されたアクションコマンドを解析する。画像生成部１１１は、メモリ１０９に記憶された代替画像にデータ解析部１１０で解釈したアクションコマンドを反映した画像（アニメーション）を生成する。
【００２２】
代替画像とは、テレビ電話機能において、カメラで撮影した自分自身の映像の代わりに、着信相手の移動機に送信する画像を意味する。つまり、自分自身の「化身」として表示する画像を指す。例としてアバタが挙げられる。
【００２３】
図２、図３は本発明で使用する画像生成方法を示す図である。移動機１０１は、メモリ１０９に代替画像２０１、留守応答メッセージ２０３を保持している。代替画像２０１、留守応答メッセージ２０３は、移動機が最初から保持しているデータでも、無線部１０５を介して、インターネットなどからダウンロードしたデータであっても良い。
【００２４】
ユーザは、操作部１０８から表情や動作のコマンドを入力し、代替画像に対するアクションコマンド２０２を予めメモリ１０９に登録しておく。データ解析部１１０は、アクションコマンド２０２からコマンド１（２０４）を解析し、画像生成部１１１により、代替画像に反映してアニメーション表示を行う。次に、アクションコマンド２０２からコマンド２（２０６）を解析し、留守応答メッセージ２０３からメッセージを音声再生する（２０７）。順次、アクションコマンド２０２からコマンドを解析し、代替画像に反映してアニメーション表示を行う（図３、３０１〜３０４）。
【００２５】
図６は、本発明で使用するアクションコマンドの入力方法を示す図である。移動機６０１は、表示部６０３に表示された代替画像６０２に対して、操作部６０５から表情（笑う、泣くなど）や動作（口を開ける、目を閉じるなど）のアクションを入力する。アクションは、予め操作部６０５の各キーに固有の動作を割り当てられているものとする。このとき、各キーに割り当てられているアクションの内容については、表示部６０３にガイダンス６０４として表示される。
【００２６】
移動機のメモリは、ユーザが操作部６０５から入力したアクションの順番を、アクションコマンド６０６として記憶する。アクションは各キーに割り当てられているため、アクションコマンドは、入力順番とキーのインデックスのデータ列を保持しておけば良い。
【００２７】
次に、本発明の実施例の動作について説明する。図４は本発明の基本動作を示すフロー図である。移動機Ａは、テレビ電話機能で移動機Ｂへテレビ電話発信する（Ｓ４０１）。移動機Ｂは、テレビ電話着信する（Ｓ４０２）。移動機Ｂのユーザが応答可能な場合は、テレビ電話通話を開始する（Ｓ４０４）。移動機Ｂのユーザが応答不可な場合は、移動機Ｂのメモリに代替画像と留守応答用アクションコマンドが保存されているかチェックする（Ｓ４０５）。移動機Ｂのメモリに代替画像と留守応答用アクションコマンドが保存されていなかった場合は、音声のみの留守応答メッセージを移動機Ａに送信する（Ｓ４０６）。移動機Ｂのメモリに代替画像と留守応答用アクションコマンドが保存されていた場合は、代替画像とアクションコマンドからアニメーションを生成する（Ｓ４０８）。（詳細は、図５のフロー図にて説明）。ステップ４０８で生成したアニメーションを、移動機Ａに送信する（Ｓ４０９）。移動機Ａは、受信したアニメーションを移動機Ａのモニタに表示する（Ｓ４１０）。移動機Ａのユーザは、伝言メッセージを送信する（Ｓ４１１）。移動機Ｂは、伝言メッセージの録音を開始する（Ｓ４１２）。移動機Ｂは、伝言メッセージの録音を終了する（Ｓ４１３）。移動機Ｂは、通信を切断する（Ｓ４１４）。移動機Ａは、通信を切断し、終了する（Ｓ４１５）。
【００２８】
図５は、アクションコマンドを代替画像に反映してアニメーションを生成するフロー図である。図１、図２、図３、図４を参照して説明する。移動機Ｂのメモリ１０９から、代替画像２０１を読み出す（Ｓ５０１）。移動機Ｂのメモリ１０９から、アクションコマンド２０２を読み出す（Ｓ５０２）。このアクションコマンド２０２は、図６で説明したように、予めユーザが操作部１０８から入力し、メモリ１０９に保存しておく。アクションは各キーに割り当てられているため、アクションコマンド２０２は、キーの入力順番とインデックスのデータ列となる。データ解析部１１０は、アクションコマンド２０３から、１番目のコマンドを解析する（Ｓ５０３）。つまり、１番目のキーのインデックスを参照し、キーに割り当てられたアクションを読み出す。画像生成部１１１は、ステップ５０３で解析したアクション（例えば、口を開くなど）を、代替画像２０１に反映する（Ｓ５０４）。同様にして、データ解析部１１０は、アクションコマンド２０３から、Ｎ番目のコマンドを解析する（Ｓ５０５）。画像生成部１１１は、ステップ５０６で解析したアクションを、代替画像２０１に反映する（Ｓ５０６）。アクションコマンド２０３の全てのコマンドを反映し、アニメーションを生成する（Ｓ５０７）。
【００２９】
本発明の他の実施例として、上記で示した携帯電話やＰＨＳなどの移動機の代わりに、テレビ電話機能を備えた固定回線電話などに利用することもでき、有線、無線を問わず適用可能である。図２で説明したアクションコマンド２０２は、ユーザが入力したコマンドの代わりに、移動機が初期状態で保持しているアクションコマンドで利用することも可能とする。図２で説明した留守応答メッセージ２０３は、テキストデータから音声データに変換することも可能である。  図２で説明した留守応答メッセージ２０３は、音声データ（ボイスデータ）で保持することも可能である。
【００３０】
以上、本発明の実施形態によれば、テレビ電話の留守番電話機能において、代替画像の表情や動作をアクションコマンドとして移動機のメモリに保存する機能、また、留守応答時に、保存したアクションコマンドを解析する機能を提供できる。また、上記で解釈したアクションコマンドを、代替画像に反映して、３Ｄや２Ｄなどの画像またはアニメーションを生成する機能を提供することができる。上記で生成した画像またはアニメーションを、着信相手のテレビ電話端末に送信する機能を提供できる。  また、留守番電話機能の応答メッセージを、動画データ（ＭＰ４など）として保存するよりも、アクションコマンドのみ保存することで、データ量の削減が可能となる。また、留守応答メッセージをテキストデータで保存し、留守応答時に音声メッセージに変換する機能を搭載することで、応答メッセージのデータ量を削減することが可能となる。
【００３１】
【発明の効果】
請求項１記載のテレビ電話端末によれば、留守番電話機能と、通信相手と画像の送受信を行うテレビ電話機能を有するテレビ電話端末であって、ＣＰＵとＲＯＭとを内蔵し、各手段を制御する制御手段と、外部との通信を行う無線手段と、テレビ電話機能作動時にユーザ自身を撮影する撮影手段と、撮影手段で撮影したユーザ自身の映像および代替画像のうち少なくとも１つを表示する表示手段と、代替画像に表情や動作を加えるためのアクションコマンドを入力する操作手段と、代替画像および操作手段で入力されたアクションコマンドを記憶する記憶手段と、記憶手段に記憶されたアクションコマンドを解析するデータ解析手段と、記憶手段に記憶された代替画像にデータ解析手段で解析したアクションコマンドを反映した画像を生成する画像生成手段とを有し、生成した画像を通信相手のテレビ電話端末に送信することを特徴とするので、留守番電話機能の応答メッセージを、動画データ（ＭＰ４など）として保存するよりも、アクションコマンドのみ保存することで、データ量の削減が可能となる。
【００３２】
請求項２記載のテレビ電話端末によれば、請求項１記載のテレビ電話端末において、代替画像はテレビ電話機能時に撮影手段で撮影したユーザ自身の映像の代わりに着信相手のテレビ電話端末に送信される画像であることを特徴とするので、解釈したアクションコマンドを代替画像に反映して３Ｄや２Ｄなどのアニメーションを生成でき、生成したアニメーションを、着信相手のテレビ電話端末に送信できる。
【００３３】
請求項３記載のテレビ電話端末によれば、請求項１記載のテレビ電話端末において、データ解析手段は、留守番電話機能時の留守応答時に、記憶手段に記憶したアクションコマンドを解析することを特徴とするので、保存したアクションコマンドを解析してアニメーションを生成できる。
【００３４】
請求項４記載のテレビ電話端末によれば、請求項１記載のテレビ電話端末において、画像生成手段は、データ解析手段で解析したアクションコマンドを代替画像に反映して、３Ｄや２Ｄなどの画像を生成することを特徴とするので、解釈したアクションコマンドを代替画像に反映して３Ｄや２Ｄなどのアニメーションを生成できる。
【００３５】
請求項５記載のテレビ電話端末によれば、請求項１から４のいずれか１項に記載のテレビ電話端末において、代替画像はアバタであることを特徴とするので、生成したアニメーションを着信相手のテレビ電話端末に送信できる。
【００３６】
請求項６記載のテレビ電話端末によれば、請求項１記載のテレビ電話端末において、留守番電話機能において、留守応答メッセージをテキストデータで保存し、留守応答時に音声メッセージに変換する変換手段をさらに有することを特徴とするので、応答メッセージのデータ量を削減できる。
【００３７】
請求項７記載のテレビ電話端末によれば、請求項１から５のいずれか１項に記載のテレビ電話端末において、代替画像はテレビ電話端末に初期設定として保持されているデータであることを特徴とするので、送信する代替画像の選択範囲が広がる。
【００３８】
請求項８記載のテレビ電話端末によれば、請求項１から５のいずれか１項に記載のテレビ電話端末において、代替画像はインターネットからダウンロードしたデータであることを特徴とするので、送信する代替画像の選択範囲が広がる。
【００３９】
請求項９記載のテレビ電話端末によれば、請求項１記載のテレビ電話端末において、アクションコマンドは、ユーザによって入力された順番通りに記憶手段に記憶されることを特徴とするので、解釈したアクションコマンドを代替画像に反映して、３Ｄや２Ｄなどのアニメーションを生成できる。
【００４０】
請求項１０記載のテレビ電話端末によれば、請求項１から９のいずれか１項に記載のテレビ電話端末において、アクションコマンドは、テレビ電話端末内に初期設定として保持されていることを特徴とするので、解釈したアクションコマンドを代替画像に反映して、３Ｄや２Ｄなどのアニメーションを生成できる。
【００４１】
請求項１１記載のテレビ電話端末によれば、請求項１記載のテレビ電話端末において、操作手段の各キーに予め固有の動作であるアクションが割り当てられていることを特徴とするので、ユーザは容易にアクションコマンドを入力できる。
【００４２】
請求項１２記載のテレビ電話端末によれば、請求項１１記載のテレビ電話端末において、アクションの内容は、表示手段にガイダンスとして表示されることを特徴とするので、ユーザは容易にアクションコマンドを入力できる。
【００４３】
請求項１３記載の画像生成方法によれば、請求項１から１２のいずれか１項に記載のテレビ電話端末で使用される画像生成方法であって、通信相手のテレビ電話端末に送信するための代替画像に表情および動作を加えるためのアクションコマンドをユーザによって入力され、入力されたアクションコマンドを入力された順番に従って解析し、解析結果を代替画像に反映してアニメーション表示をすることを特徴とするので、留守番電話機能の応答メッセージを、動画データとして保存するよりも、アクションコマンドのみ保存することで、データ量の削減が可能となる。
【図面の簡単な説明】
【図１】本発明の実施形態である移動機の構成を示すブロック図である。
【図２】本発明の実施形態である移動機の画像生成方法を示す図である。
【図３】本発明の実施形態である移動機の画像生成方法を示す図である。
【図４】本発明の実施形態である移動機の基本動作を示すフロー図である。
【図５】本発明の実施形態である画像生成方法のフロー図である。
【図６】本発明で使用するアクションコマンドの入力方法を示す図である。
【符号の説明】
１０１  移動機
１０２  制御部
１０３  ＣＰＵ
１０４  ＲＯＭ
１０５  無線部
１０６  カメラ
１０７  表示部
１０８  操作部
１０９  メモリ
１１０  データ解析部
１１１  画像生成部
２０１  代替画像
２０２  アクションコマンド
２０３  留守応答メッセージ
２０４  コマンド１
２０５  アニメーション１
２０６  コマンド２
２０７  アニメーション２
３０１  コマンド３
３０２  コマンド４
６０１  移動機
６０２  代替画像
６０３  表示部
６０４  ガイダンス
６０５  操作部
６０６  アクションコマンド
【図１】
2004328069.tif 000003
【図２】
2004328069.tif 000004
【図３】
2004328069.tif 000005
【図４】
2004328069.tif 000006
【図５】
2004328069.tif 000007
【図６】
2004328069.tif 000008